(57)【要約】【課題】光拡散及び熱遮断機能を実現するとともに、拡散板の垂れを防止することのできる拡散板アセンブリ及びこれを有するバックライトアセンブリを提供する。【解決手段】光を拡散させる第１プレートと、前記第１プレートの一面に対向して配置され、前記第１プレート側への熱伝逹を遮断する第２プレートと、前記第１プレートと前記第２プレートとの間に介在され、前記第１プレートと前記第２プレートとを離隔させる複数の間隔材とを有することを特徴とする。【選択図】      図５
2008027885.tif 000002
【特許請求の範囲】
【請求項１】
光を拡散させる第１プレートと、
前記第１プレートの一面に対向して配置され、前記第１プレート側への熱伝逹を遮断する第２プレートと、
前記第１プレートと前記第２プレートとの間に介在され、前記第１プレートと前記第２プレートとを離隔させる複数の間隔材とを有することを特徴とする拡散板アセンブリ。
【請求項２】
前記間隔材は、一端が前記第１プレートの一面に接触され、他端が前記第１プレートの一面と対向する前記第２プレートの対向面に接着されることを特徴とする請求項１に記載の拡散板アセンブリ。
【請求項３】
前記間隔材は、透明な熱圧着性樹脂からなることを特徴とする請求項２に記載の拡散板アセンブリ。
【請求項４】
前記間隔材は、直方体バー構造または波形柱構造であることを特徴とする請求項３に記載の拡散板アセンブリ。
【請求項５】
前記間隔材は、所定の間隔で離隔し、ストライプ状またはメッシュ状に配置されることを特徴とする請求項４に記載の拡散板アセンブリ。
【請求項６】
前記間隔材は、円柱構造または十字形柱構造であることを特徴とする請求項３に記載の拡散板アセンブリ。
【請求項７】
前記間隔材は、所定の間隔で離隔し、ドット状に配置されることを特徴とする請求項６に記載の拡散板アセンブリ。
【請求項８】
前記間隔材は、接着層を媒介として前記第２プレートの対向面に接着されることを特徴とする請求項２に記載の拡散板アセンブリ。
【請求項９】
前記間隔材は、前記第２プレートと一体に成形され、間隔材の一端が前記第１プレートの一面と接触することを特徴とする請求項１に記載の拡散板アセンブリ。
【請求項１０】
前記間隔材は、熱圧着によって前記第１プレートの一面に接着されることを特徴とする請求項９に記載の拡散板アセンブリ。
【請求項１１】
前記間隔材は、接着層を媒介として前記第１プレートの一面に接着されることを特徴とする請求項９に記載の拡散板アセンブリ。
【請求項１２】
拡散板アセンブリ支持台を含む下側モールドと、
光を拡散させる第１プレートと、前記第１プレートの下部面に対向して配置され、前記第１プレート側への熱伝逹を遮断する第２プレートと、前記第１プレートと前記第２プレートとの間に介在され、前記第１プレートと前記第２プレートとを離隔させる複数の間隔材とを備えて、前記拡散板アセンブリ支持台上に配置される拡散板アセンブリと、
前記拡散板アセンブリ下部に配置されるランプと、
前記下側モールドと前記拡散板アセンブリと前記ランプとを収容するボトムシャーシとを有することを特徴とするバックライトアセンブリ。
【請求項１３】
前記ボトムシャーシに固定され、前記第２プレートを支持する支持台をさらに有することを特徴とする請求項１２に記載のバックライトアセンブリ。
【請求項１４】
前記下側モールドは、前記ボトムシャーシの両側面に各々一個ずつ配置された分割型下側モールドであることを特徴とする請求項１３に記載のバックライトアセンブリ。
【請求項１５】
前記拡散板アセンブリは、前記第１プレートの下部面が前記拡散板アセンブリ支持台上と接触して定着されることを特徴とする請求項１４に記載のバックライトアセンブリ。
【請求項１６】
前記間隔材は、一端が前記第１プレートの一面に接触され、他端が前記第１プレートの一面と対向する前記第２プレートの対向面に接着されることを特徴とする請求項１５に記載の拡散板アセンブリ。
【請求項１７】
前記間隔材は、透明な熱圧着性樹脂からなることを特徴とする請求項１６に記載の拡散板アセンブリ。
【請求項１８】
前記間隔材は、接着層を媒介として前記第２プレートの対向面に接着されることを特徴とする請求項１６に記載の拡散板アセンブリ。
【請求項１９】
前記間隔材は、前記第２プレートと一体に成形され、間隔材の一端が前記第１プレートの一面と接触することを特徴とする請求項１５に記載の拡散板アセンブリ。
【発明の詳細な説明】
【技術分野】
【０００１】
本発明は、拡散板アセンブリ（ａｓｓｅｍｂｌｙ：組立体）及びこれを有するバックライトアセンブリに関し、より詳細には、光拡散及び熱遮断機能を有する拡散板アセンブリ及びこれを有するバックライトアセンブリに関する。
【背景技術】
【０００２】
液晶表示装置（Ｌｉｑｕｉｄ  Ｃｒｙｓｔａｌ  Ｄｉｓｐｌａｙ；ＬＣＤ）は、現在最も広く使われている平板表示装置（Ｆｌａｔ  Ｐａｎｅｌ  Ｄｉｓｐｌａｙ：ＦＰＤ）の１つであって、電極が形成されている二枚の基板とその間に挿入されている液晶層からなり、電極に電圧を印加して液晶層の液晶分子を再配列させることによって、透過される光量を調節する表示装置である。
【０００３】
このような液晶表示装置は、現代社会が高度に情報化されて行くにつれて大型化及び薄型化に対する市場の要求に直面しており、屋外広告などに使われるＰＩＤ（Ｐｕｂｌｉｃ  Ｉｎｆｏｒｍａｔｉｏｎ  Ｄｉｓｐｌａｙ）のように４０インチ以上のサイズを有する超大型液晶表示装置に対する需要が増加している。
【０００４】
ＰＩＤのような超大型液晶表示装置の需要増加によって、大画面液晶表示パネルに光を供給できるように液晶表示パネルの後面に位置するバックライトアセンブリのサイズも大型化されてきている。これによって、バックライトアセンブリに含まれる拡散板（例えば、特許文献１参照）も大型化されて、そのために拡散板の中央部に垂れ現象が発生する可能性を有するという問題がある。
また、このような垂れ現象を防止する一方、外熱の拡散板側への流入を遮断する必要がある。
【０００５】
【特許文献１】韓国特許出願公開第２００５−１０６６３４号明細書
【発明の開示】
【発明が解決しようとする課題】
【０００６】
そこで、本発明は上記従来のバックライトアセンブリにおける問題点に鑑みてなされたものであって、本発明の目的は、光拡散及び熱遮断機能を実現するとともに、拡散板の垂れを防止することのできる拡散板アセンブリを提供することにある。
本発明の他の目的は、上記拡散板アセンブリを有するバックライトアセンブリを提供することにある。
【課題を解決するための手段】
【０００７】
上記目的を達成するためになされた本発明による拡散板アセンブリは、光を拡散させる第１プレートと、前記第１プレートの一面に対向して配置され、前記第１プレート側への熱伝逹を遮断する第２プレートと、前記第１プレートと前記第２プレートとの間に介在され、前記第１プレートと前記第２プレートとを離隔させる複数の間隔材とを有することを特徴とする。
【０００８】
上記目的を達成するためになされた本発明によるバックライトアセンブリは、拡散板アセンブリ支持台を含む下側モールドと、光を拡散させる第１プレートと、前記第１プレートの下部面に対向して配置され、前記第１プレート側への熱伝逹を遮断する第２プレートと、前記第１プレートと前記第２プレートとの間に介在され、前記第１プレートと前記第２プレートとを離隔させる複数の間隔材とを備えて、前記拡散板アセンブリ支持台上に配置される拡散板アセンブリと、前記拡散板アセンブリ下部に配置されるランプと、前記下側モールドと前記拡散板アセンブリと前記ランプとを収容するボトムシャーシとを有することを特徴とする。
【発明の効果】
【０００９】
本発明に係る拡散板アセンブリ及びこれを有するバックライトアセンブリによれば、光拡散機能を行う第１プレートが間隔材によって支持されることによって、別途の第１プレート支持台が要求されず部品費用を節減させうるという効果がある。
【００１０】
また、第１プレートと第２プレートとの間隔を間隔材によって一定に離隔させることによって、第１プレート、第２プレート及び間隔材によって形成された空間に介在された空気層によって効率的な熱遮断機能を実現するという効果がある。
さらに、バックライトアセンブリに分割型下側モールドを使うことによって、ボトムシャーシの空間を効率的に利用できるという効果がある。
【発明を実施するための最良の形態】
【００１１】
次に、本発明に係る拡散板アセンブリ及びこれを有するバックライトアセンブリを実施するための最良の形態の具体例を図面を参照しながら説明する。
【００１２】
本発明の利点及び特徴、そしてそれらの達成方法は、添付図面と共に詳細に後述されている実施形態を参照すれば、明確になる。しかし、本発明は、以下で開示される実施形態に限定されず、相異なる多様な形態で具現でき、単に本実施形態は本発明の開示を完全にし、当業者に発明の範ちゅうを完全に知らせるために提供され、本発明は請求項の範疇により定義されるだけである。明細書全体に亙って同じ参照符号は、同じ構成要素を指称する。
【００１３】
図１〜図４を参照して、本発明の実施形態によるバックライトアセンブリについて詳しく説明する。以下、本発明の実施形態による拡散板アセンブリを有するバックライトアセンブリを例をあげて説明するが、本実施形態によるバックライトアセンブリに含まれる拡散板アセンブリは、これに限定されず、本発明の第１の実施形態の変形例または他の実施形態による拡散板アセンブリも含まれることができ、その以外の多様な変形が可能である。
【００１４】
図１は、本発明の実施形態によるバックライトアセンブリの分解斜視図である。
図１に示すように、本発明の実施形態によるバックライトアセンブリ１００は、全体的に見てトップシャーシ１１０、光学シート１２０、光を拡散させる第１プレート１３１、第１プレート１３１の下部面に対向して配されて、第１プレート１３１側への熱伝逹を遮断する第２プレート１３２、及び間隔材１３３を備えて、拡散板アセンブリ支持台１６３ａに定着される拡散板アセンブリ１３０、ランプ１４０、反射シート１５０、ボトムシャーシ１６０、ランプ支持台（ｌａｍｐ  ｓｕｐｐｏｒｔｅｒ）１６２、及び拡散板アセンブリ支持台１６３ａを含む下側モールド１６３とを含む。
【００１５】
また、本実施形態によるバックライトアセンブリ１００は、ボトムシャーシ１６０に固定されて第２プレート１３２を支持する支持台（ｓｕｐｐｏｒｔｅｒ）１６１をさらに含みうる。
【００１６】
トップシャーシ１１０は、光学シート１２０、拡散板アセンブリ１３０、ランプ１４０及び反射シート１５０を収納して、ボトムシャーシ１６０に定着固定される。
トップシャーシ１１０は、長方形の縁部に沿って形成された側壁で構成され、内側壁に段差部または突起部が形成されて液晶表示パネル（図示せず）を支持できる構造からなる。
【００１７】
光学シート１２０は、トップシャーシ１１０下部に設けられ、ランプ１４０から出射される光を拡散及び集光する役割を果たす。光学シート１２０は、拡散シート（ｄｉｆｆｕｓｉｏｎ  ｓｈｅｅｔ）、第１プリズムシート、第２プリズムシートなどを含む。
【００１８】
拡散板アセンブリ１３０は、光学シート１２０の下部に配置されることができ、光拡散機能を行う第１プレート１３１と、第１プレート１３１側への熱伝逹を遮断する第２プレート１３２、及び第１プレート１３１と第２プレート１３２との間に介在され、第１プレート１３１と第２プレート１３２とを離隔させる間隔材１３３からなる。
【００１９】
本実施形態の拡散板アセンブリ１３０の第１プレート１３１は、後述する下側モールド１６３の拡散板アセンブリ支持台１６３ａ上に定着させることができ、第２プレート１３２は垂れ現象を防止するために支持台１６１によって支持されうる。拡散板アセンブリ１３０については以後に詳しく説明する。
【００２０】
ランプ１４０は、拡散板アセンブリ１３０下部に配置される。ランプ１４０としては、ＬＥＤ（Ｌｉｇｈｔ  Ｅｍｉｔｔｅｄ  Ｄｉｏｄｅ）、ＣＣＦＬ（Ｃｏｌｄ  Ｃａｔｈｏｄｅ  Ｆｌｕｏｒｅｓｃｅｎｔ  Ｌａｍｐ）、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）などを使用できる。このようなランプ１４０は、所定の間隔で離隔されて同一平面に並列連結されて、直下型として構成されうる。ランプ１４０は、ボトムシャーシ１６０に収納される。
【００２１】
反射シート１５０は、ランプ１４０の下部に配置され、ランプ１４０の下部から出射された光を上部に反射する反射面を有する。
【００２２】
ボトムシャーシ１６０は、長方形を有することができ、上面の縁部に沿って側壁が形成されて側壁内に前述した光学シート１２０、拡散板アセンブリ１３０、ランプ１４０、反射シート１５０、ランプ支持台１６２及び拡散板アセンブリ支持台１６３ａを含む下側モールド１６３とを収容する。
ボトムシャーシ１６０の底面には、第２プレート１３２を支持する支持台１６１、ランプ１４０を支持するランプ支持台１６２及びボトムシャーシ１６０の両側面に配された分割型下側モールド１６３とが備わっている。
【００２３】
次に、図１及び図２を参照して、本実施形態の支持台１６１について詳しく説明する。
図２は、本発明の実施形態によるバックライトアセンブリに含まれる支持台を示す斜視図である。
【００２４】
図１及び図２に示すように、支持台１６１は、第２プレート１３２の下部に所定個数配置されて、第２プレート１３２を支持する。支持台１６１は、第２プレート１３２の垂れ現象を防止するように第２プレート１３２の中央部に相当する位置に所定間隔離隔して配置されうる。
【００２５】
支持台１６１は、ベースプレート１６１ａ、ベースプレート１６１ａと垂直になるようにベースプレート１６１ａから延長された支持棒１６１ｂ、及びボトムシャーシ１６０に締結するための締結部１６１ｃからなる。
ベースプレート１６１ａは、光透過率の低下を最小化するために透明な板状で提供されうる。
【００２６】
支持棒１６１ｂは、ベースプレート１６１ａと垂直になるようにベースプレート１６１ａから突出して形成することができ、第２プレート１３２の垂れ現象を防止するためにベースプレート１６１ａ上から延長されて所定の高さを有する。
支持棒１６１ｂは、第２プレート１３２との接触時、第２プレート１３２にスクラッチが発生しないように透光性及び柔軟性を有した材質、例えば、シリコン系ゴムなどからなりうるが、これに限定されるものではない。
【００２７】
支持台１６１は、ベースプレート１６１ａの底面に備えられた締結部１６１ｃによってボトムシャーシ１６０に固定される。締結部１６１ｃは、例えば、フック状であり得るが、このような形状に限定されるものではない。
【００２８】
再び、図１を参照すれば、本実施形態によるバックライトアセンブリ１００は、ランプ固定台１６２をさらに含みうる。ランプ固定台１６２は、ランプ固定プレート（図示せず）とランプ固定部（図示せず）からなりうる。
【００２９】
ランプ固定プレートは、長い板状で提供され、透明な材料からなりうる。
ランプ固定部は、ランプ固定プレート上にランプ固定プレートの長手方向に沿って複数個備えられて、各々のランプ固定部にランプ１４０を固定する役割を果たす。
ランプ固定部は、透光損失を防止できるように透光性に優れて、柔軟性を有する材質、例えば、シリコン系ゴムなどからなりうるが、これに限定されるものではない。
ランプ固定部は、例えば、上部が開放された円形状であり得るが、ランプ１４０を挿入して、定着させることができる限り、このような形状に限定されるものではない。
ランプ固定部は、別途のランプ固定プレート上に形成されうるが、支持台１６１のベースプレート１６１ａ上に支持棒１６１ｂと共に形成することもできる。
【００３０】
次に、図１〜図４を参照して、本実施形態の下側モールド１６３について詳しく説明する。図３は、本発明の実施形態によるバックライトアセンブリに含まれる下側モールドを示す斜視図であり、図４は、本発明の実施形態によるバックライトアセンブリを概略的に示す断面図である。
【００３１】
下側モールド１６３は、本実施形態の拡散板アセンブリ１３０を支持して、ランプソケット１４１をカバーし、ランプ１４０から出射された光を反射させる役割を果たす。
下側モールド１６３は、拡散板アセンブリ支持台１６３ａ、ランプ誘導口１６３ｂ及び基部１６３ｃからなる。
【００３２】
拡散板アセンブリ支持台１６３ａは、下側モールド１６３に形成された支持部であって、拡散板アセンブリ１３０が定着される。具体的には、拡散板アセンブリ１３０の第１プレート１３１の下部面が拡散板アセンブリ支持台１６３ａ上に接して定着されうる。この場合、第２プレート１３２は、間隔材１３３によって第１プレート１３１に接着されているので、下側モールド１６３に第２プレート１３２を定着させるための別途の支持台は要求されない。但し、第２プレート１３２は、間隔材１３３によって支持される場合にも、垂れ現象防止のために第２プレート１３２を支持する支持台１６１によって支持されうる。
【００３３】
下側モールド１６３は、ランプ１４０が連結されたランプソケット１４１をカバーし、ランプ１４０がランプソケット１４１に連結されるようにランプ誘導口１６３ｂを備えうる。
基部１６３ｃは、下側モールド１６３のバランスを維持する役割を果たす。
【００３４】
下側モールド１６３は、基部１６３ｃによって支持され、ボトムシャーシ１６０の両側面に各々一個ずつ配された分割型下側モールド１６３であり得る。すなわち、間隔材１３３によって第１プレート１３１及び第２プレート１３２とが支持されて、ボトムシャーシ１６０の４辺に沿って形成された一体型下側モールドを利用せずに、分割型下側モールド１６３を利用することによって、ボトムシャーシ１６０の空間を効率的に利用できる。
【００３５】
本実施形態によるバックライトアセンブリによれば、間隔材１３３によって第１プレート１３１及び第２プレート１３２とを離隔させて、支持することによって、熱遮断を効果的に行う一方、第１プレート１３１を支持する支持台を別途に備える必要がないので追加的な製造コストを節減することができ、分割型下側モールド１６３を利用することによって、ボトムシャーシ１６０の空間を効率的に利用できる。
【実施例１】
【００３６】
次に、図５〜図１８を参照して、本発明の第１の実施例による拡散板アセンブリについて詳しく説明する。
【００３７】
図５は、本発明の第１の実施例による拡散板アセンブリの斜視図である。図５に示すように、本発明の第１の実施例による拡散板アセンブリ１３０は、光を拡散させる第１プレート１３１、第１プレート１３１の一面に対向して配置され、第１プレート側への熱伝逹を遮断する第２プレート１３２及び第１プレート１３１と第２プレート１３２との間に介在される間隔材１３３とを含む。
【００３８】
第１プレート１３１は、ランプ１４０から出射した光を拡散させることによって輝度均一性を向上させる役割を果たす。すなわち、ランプ１４０（図１参照）から出射された光はランプの位置によって輝度が異なり、第１プレート１３１を用いて光を拡散させることによって、輝度を均一にする。
第１プレート１３１は、輝度を均一にさせるために透明樹脂板に拡散材を混合して提供されうる。透明樹脂板の材料としては、例えば、アクリルまたはポリカーボネートなどが利用することができ、拡散材としては、例えば、架橋ポリメチルメタクリレート、架橋ポリスチレン、架橋ポリアクリル酸ナトリウム、架橋シリコン、架橋アクリル−スチレン共重合体、炭酸カルシウム、硫酸バリウムなどの微粒子を利用できるが、透明樹脂板や拡散材の材料がこれに限定されるものではないということは勿論である。
第１プレート１３１は、単一層の一つのプレートで提供することもできるが、複数のシート、例えば、３枚のシートが接着されて第１プレート１３１を形成することもできる。
【００３９】
第２プレート１３２は、例えば、ＰＩＤ（Ｐｕｂｌｉｃ  Ｉｎｆｏｒｍａｔｉｏｎ  Ｄｉｓｐｌａｙ）のように野外で使われて熱遮断が必要な液晶表示装置（図示せず）に追加的に要求され、第１プレート１３１の一面に対向して離隔配置され、第１プレート１３１と第２プレート１３２との間に介在する空気層によって第１プレート１３１への熱伝逹を遮断する役割を果たす。
第２プレート１３２は、下側モールド１６３（図４参照）の拡散板アセンブリ支持台１６３ａ上に第１プレート１３１を容易に定着させるように、第１プレート１３１より狭い面積を有しうる。
第２プレート１３２は、透明で剛性を有した材料、例えば、ＰＭＭＡ（Ｐｏｌｙ  Ｍｅｔｈｙｌ  ＭｅｔｈＡｃｒｙｌａｔｅ）、ポリカーボネートからなりうるが、これら材料に限定されるものではない。
【００４０】
間隔材１３３は、第１プレート１３１と第２プレート１３２との間に介在されて、第１プレート１３１と第２プレート１３２とを離隔させて支持する役割を果たす。大画面液晶表示装置の場合、第１プレート１３１及び第２プレート１３２が大面積なので中央部に垂れ現象の発生する恐れがあって、これを支持する必要があり、間隔材１３３はこのような垂れ現象を防止する。特に、第１プレート１３１は、間隔材１３３によって別途の支持台なしに垂れが防止される。
第１プレート１３１と第２プレート１３２との間に間隔材１３３を使うことによって、バックライトアセンブリへの装着時、第２プレート１３２に穿孔したり、別途の第１プレート支持台を備えなくても容易に第１プレート１３１を支持できる。
【００４１】
間隔材１３３は、一端１３３ａが第１プレート１３１の一面に接触され、他端１３３ｂが第２プレート１３２の対向面に接着（ａｄｈｅｒｅ）されうる。ここで、「接触」の意味は、間隔材１３３が第１プレート１３１の一面に物理的に接触した場合だけではなく、例えば、熱圧着（ａｄｈｅｓｉｏｎ  ｂｙ  ｈｅａｔ  ａｎｄ  ｐｒｅｓｓｕｒｅ）などによって接着された場合を含む。また、本明細書全般にわたって使われた用語「熱圧着」は、熱と圧力を印加して接着することを意味する。
【００４２】
図６を参照して、本実施例の間隔材の接着方式について説明する。図６は、図５のＶＩ−ＶＩ’線に沿って切断した断面図である。
【００４３】
図６を参照すれば、本実施例の間隔材１３３は、別途の接着材の介在なしに第１プレート１３１の一面と第２プレート１３２の一面とに接着されうる。この場合、間隔材１３３としては視認性に悪影響を及ぼさないで、熱と圧力の存在下で接着性を有するような透明な熱圧着性樹脂、例えば、熱圧着用透明シリコンゴムを利用できるが、熱圧着によって接着性を有する透明樹脂であれば間隔材１３３の材料がこれに限定されるものではない。
外部から圧力と熱を印加する場合、熱圧着性樹脂が接着性を有するので、このような熱圧着性樹脂からなる間隔財１３３は、第１プレート１３１と第２プレート１３２との面に接着されうる。
【００４４】
本実施例による拡散板アセンブリ１３０は、第１プレート１３１と第２プレート１３２との間に間隔材１３３を介在させて、熱圧着装置（図示せず）を用いて第１プレート１３１と第２プレート１３２とに互いに間隔材１３３を圧縮させる方向に圧力を印加して昇温させることによって、一体に形成されうる。
【００４５】
図７〜図１０を参照して、本実施例の間隔材の形状及び配置について説明する。
図７は、本発明の第１の実施例による拡散板アセンブリの分解斜視図であり、図８〜図１０は、本発明の第１の実施例による拡散板アセンブリの間隔材の配置形状を示す概略斜視図である。
【００４６】
図７〜図１０に示すように、間隔材１３３は、第１プレート１３１を支持して、第１プレート１３１と第２プレート１３２との間に熱遮断のための適量の空気層が介在するように所定の高さと厚さを有した立体形状、例えば、直方体バー状であり得るが、間隔材１３３の形状がこれに限定されるものではなく多様な変形が可能である。
【００４７】
間隔材１３３の高さは、第１プレート１３１、第２プレート１３２及び間隔材１３３によって形成された空間に介在される空気層が効率的に熱遮断の役割を果たすように設定するが、熱圧着による高さの減少を考慮して提供される。
間隔材１３３は、第１プレート１３１及び第２プレート１３２の支持役割をするのに適した位置に所定の個数に提供、配置される。この場合、間隔材１３３の配置による光透過損失も考慮して間隔材１３３の配置間隔を調節できる。間隔材１３３は、第１プレート１３１及び第２プレート１３２との接着面全体に均一な圧力がかかるように一定間隔に配置されうる。
【００４８】
間隔材１３３は、ストライプ状またはメッシュ状に配置されうる。
間隔材１３３は、第１プレート１３１及び第２プレート１３２が縦方向（長手方向）に垂れ現象が発生することを防止するように第１プレート１３１及び第２プレート１３２の縦方向（長手方向）に平行に配置されるか、第１プレート１３１及び第２プレート１３２が横（短手方向）方向に垂れ現象が発生することを防止するように第１プレート１３１及び第２プレート１３２の横（短手方向）方向に平行に配置されたストライプ状であり得る（図８、９参照）。
また、第１プレート１３１及び第２プレート１３２が横（短手方向）方向及び縦（長手方向）方向に垂れ現象が発生することを防止するように第１プレート１３１及び第２プレート１３２の横（短手方向）方向及び縦（長手方向）方向に平行に配されたメッシュ状であり得る（図１０参照）。
【００４９】
次に、図１１〜図１４を参照して、本発明の第１の実施例の間隔材の変形例について説明する。
図１１は、本発明の第１の実施例の間隔材の変形例を含む拡散板アセンブリの分解斜視図であり、図１２〜図１４は、本発明の第１の実施例の変形例による間隔材の配置形状を示す概略斜視図である。
【００５０】
図１１〜図１４に示すように、本変形例を含む拡散板アセンブリ１３０ａは、間隔材１３４がは波形柱構造である点を除いては、第１の実施例の拡散板アセンブリ１３０と基本的に同一な構造を有する。
【００５１】
間隔材１３４は、第１の実施例と同様に、所定高さを有するように提供され、この場合、熱圧着による高さの減少を考慮して提供する。
間隔材１３４は、一定間隔に配置されることができ、その配置された模様は波形柱形状のストライプ状（図１２、１３参照）またはメッシュ状（図１４参照）であり得る。
すなわち、間隔材１３４は、第１プレート１３１及び第２プレート１３２の横（短手方向）方向及び／または縦（長手方向）方向の垂れ現象を防止するために横（短手方向）方向及び／または縦（長手方向）方向に平行に配置された波形柱形状であり得る。
【００５２】
次に、図１５及び図１６を参照して、本発明の第１の実施例の間隔材の他の変形例について説明する。
図１５は、本発明の第１の実施例の他の変形例を含む拡散板アセンブリの分解斜視図であり、図１６は、本発明の第１の実施例の他の変形例による間隔材の配置形状を示す概略斜視図である。
【００５３】
図１５及び図１６に示すように、本変形例による拡散板アセンブリ１３０ｂは、間隔材１３５の形状が円柱状である点を除いては、第１の実施例による拡散板アセンブリ１３０と基本的に同一な構造を有する。
間隔材１３５は、第１の実施例と同様に、所定高さを有するように提供され、この場合、熱圧着による高さの減少を考慮して提供する。また、間隔材１３５と第１プレート１３１または第２プレート１３２とが接着される面積は、十分な支持力が付与される一方、光透過率を低下させないように設定する。
間隔材１３５は、ドット状に配されうる。間隔材１３５は、第１プレート１３１及び第２プレート１３２の支持役割を果たす限り、不規則的に配されることもできるが、光透過率及び支持圧力が均一になるように一定間隔に配置されうる。
【００５４】
次に、図１７及び図１８を参照して、本発明の第１の実施例の間隔材のさらに他の変形例について説明する。
図１７は、本発明の第１の実施例のさらに他の変形例を含む拡散板アセンブリの分解斜視図であり、図１８は、本発明の第１の実施例のさらに他の変形例による間隔材の配置形状を示す概略斜視図である。
【００５５】
図１７及び図１８に示すように、本変形例による拡散板アセンブリ１３０ｃは、間隔材１３６の形状が十字形柱状である点を除いては、第１の実施例による拡散板アセンブリ１３０と基本的に同一な構造を有する。
間隔材１３６は、第１の実施例と同様に、第１プレート１３１及び第２プレート１３２の離隔距離、支持力及び光透過率を考慮して高さを設定する。
間隔材１３６は、本発明の他の変形例の間隔材１３５と同様にドット状に配されうる。
間隔材１３６は、第１プレート１３１及び第２プレート１３２の支持役割を果たす限り、不規則的に配置されることもできるが、光透過率及び支持圧力が均一になるように一定間隔に配置されうる。
【００５６】
本実施例による拡散板アセンブリ１３０によれば、間隔材１３３が光を拡散させる第１プレート１３１と第１プレート側への熱伝逹を遮断する第２プレート１３２との間に熱圧着によって接着されて、これら第１プレート１３１及び第２プレート１３２を離隔させて、支持することによって、第１プレート１３１及び第２プレート１３２の垂れ現象発生を抑制する一方、光拡散及び熱遮断機能を実現する。
【実施例２】
【００５７】
次に、図１９及び図２０を参照して、本発明の第２実施例による拡散板アセンブリについて説明する。
図１９は、本発明の第２の実施例による拡散板アセンブリの断面図であり、図２０は、本発明の第２の実施例による拡散板アセンブリの分解斜視図である。説明の便宜上、前述の実施例の図面に示す各構成要素と同一機能を有する構成要素には同一符号を付して、その説明は省略する。
【００５８】
本実施例による拡散板アセンブリは、図１９及び図２０に示すように、本発明の前述の実施例及び変形例による拡散板アセンブリ１３０、１３０ａ、１３０ｂ、１３０ｃと次を除いては、基本的に同一な構造を有する。すなわち、本実施例による拡散板アセンブリ１３０’は、間隔材１３７が接着層（ａｄｈｅｒｉｎｇ  ｌａｙｅｒ）１３７ｂを媒介として第１プレート１３１と第２プレート１３２との間に介在される。
【００５９】
図１９及び図２０を参照すれば、間隔材１３７は、間隔材本体部１３７ａ及び接着層１３７ｂからなる。
図に示したものとは異なり、接着層１３７ｂは、第２プレート１３２側にだけ形成されうる。間隔材１３７は、一端が第１プレート１３１の一面に接触され、他端が第１プレート１３１の一面に対向する第２プレート１３２の対向面に接着される。ここで、「接触」の意味は、間隔材１３７が第１プレート１３１の一面に物理的に接触された場合だけではなく、例えば、接着層１３７ｂによって接着された場合を含む。
【００６０】
間隔材本体部１３７ａは、第１プレート１３１と第２プレート１３２とを離隔させて、支持できるように剛性を有する一方、光透過損失を最小化できるように透明性を有した材料、例えば、ポリカーボネートまたはＰＭＭＡであり得る。すなわち、間隔材１３７の材料は、第２プレート１３２と同一であり得る。
間隔材本体部１３７ａは、第１プレート１３１及び第２プレート１３２の一面に接着層１３７ｂを媒介として接着されて、第１プレート１３１と第２プレート１３２とを離隔させて支持するように接着部位が平面からなる立体形状であり得る。
間隔材本体部１３７ａは、間隔材１３７の高さが前述の実施例及び変形例と同一になるように接着層１３７ｂの塗布の厚さを考慮して提供されうる。
【００６１】
接着材１３７ｂは、間隔材本体部１３７ａの平面部位に塗布される。接着層１３７ｂは、視認性を低下させないような透明な接着剤または透明な両面テープからなる。特に、透明接着剤または透明両面テープは、視認性を低下させないように塗布または接着の時だけではなく、硬化後（ｃｕｒｅ後）でも透明性を維持できる。
接着層１３７ｂの厚さは、間隔材１３７の高さが前述の実施例及び変形例と同一になるように間隔材本体部１３７ａの高さを考慮して設定できる。
【００６２】
第２プレート１３２に接着層１３７ｂを含む間隔材１３７を接着させた後、第１プレート１３１を間隔材１３７上に配置する。以後、第１プレート１３１と第２プレート１３２との一面に圧力を印加することによって、第１プレート１３１と間隔材１３７とを接着させうる。
間隔材１３７の形状や配置は、前述の実施例及び変形例と同一である。
本実施例による拡散板アセンブリ１３０’によれば、間隔材１３７が接着層１３７ｂを含んで、第１プレート１３１と第２プレート１３２との間に容易に接着されることができ、このような間隔材１３７は、第１プレート１３１と第２プレート１３２とを離隔させて支持することにより、第１プレート１３１及び第２プレート１３２の垂れ現象を抑制する一方、光拡散及び熱遮断機能を実現する。
【実施例３】
【００６３】
次に、図２１〜図２６を参照して、本発明の第３の実施例による拡散板アセンブリについて説明する。
図２１は、本発明の第３の実施例による拡散板アセンブリの斜視図であり、図２２は、図２１のＸＩＶ−ＸＩＶ’線に沿って切断した断面図であり、図２３は、本発明の第３の実施例による拡散板アセンブリの分解斜視図であり、図２４〜図２６は、本発明の第３の実施例による拡散板アセンブリの間隔材の配置形状を示す概略斜視図である。
【００６４】
説明の便宜上、前述の実施例の図面に示す各構成要素と同一機能を有する構成要素には同一符号を付して、その説明は省略する。
本実施例による拡散板アセンブリ１３０’’は、第２プレート１３２’が間隔材１３８と一体に成形されて提供される点で本発明の第１の実施例による拡散板アセンブリ１３０と相違する。
【００６５】
図２１〜図２６を参照すれば、本発明の第３の実施例による拡散板アセンブリ１３０’’は、間隔材１３８が第２プレート１３２’と一体に成形され、一端１３８ａが第１プレート１３１の一面に接触される。ここで、「接触」の意味は、間隔材１３８が第１プレート１３１の一面に物理的に接触された場合だけではなく、例えば、熱圧着などによって接着された場合を含む。
【００６６】
第２プレート１３２’は、一つの成形フレームで間隔材１３８と一体に成形されうる。具体的には、平板形状の第２プレート１３２’上に垂直方向に間隔材１３８が突設され、第２プレート１３２’と間隔材１３８とが一体に成形されうる。また、間隔材１３８及び第１プレート１３１が一つの成形フレームで一体に成形することもでき、この場合、間隔材１３８は、第２プレート１３２’と熱圧着または接着材によって接着される。
【００６７】
間隔材１３８は、第１プレート１３１と第２プレート１３２’とを離隔させ、第１プレート１３１と第２プレート１３２’との間に介在された空気層によって熱遮断役割を果たすように所定高さを有する。
間隔材１３８は、第２プレート１３２’と一つの成形フレームで成形されるように第２プレート１３２’と同一な材料で提供されうる。
【００６８】
間隔材１３８は、第１プレート１３１と接触して第１プレート１３１を支持し、熱圧着によって第１プレート１３１に接着されることもある。
間隔材１３８は、直方体バー構造を有することができ、第２プレート１３２’上にストライプ状またはメッシュ状に配置されるように成形されうる。間隔材１３８の形状及び配置は、これに限定されず、本発明の第１の実施例の間隔材の変形例と同一であり、多様な変形が可能である。
【００６９】
本実施例による拡散板アセンブリ１３０’’によれば、間隔材１３８と第２プレート１３２’が一体に成形されて、組立て工程が簡素化され、第１プレート１３１の垂れ現象を防止する一方、拡散機能及び熱遮断機能を実現する。
【実施例４】
【００７０】
次に、図２７及び図２８を参照して、本発明の第４の実施例による拡散板アセンブリについて説明する。
図２７は、本発明の第４の実施例による拡散板アセンブリの断面図であり、図２８は、本発明の第４の実施例による拡散板アセンブリの分解斜視図である。
【００７１】
説明の便宜上、前述の実施例の図面に示す各構成要素と同一機能を有する構成要素には同一符号を付して、その説明は省略する。
本実施例による拡散板アセンブリ１３０’’’は、間隔材１３９が接着層１３９ｂを媒介として第１プレート１３１の一面に接着される点で本発明の第１の実施例による拡散板アセンブリ１３０と相違する。
【００７２】
本実施例の第２プレート１３２’は、一つの成形フレームで間隔材１３９と一体に成形されうるという点で本発明の第３の実施例と同一である。間隔材１３９は、第１プレート１３１の一面に接触されており、ここで、「接触」の意味は、間隔材１３３が第１プレート１３１の一面に物理的に接触された場合だけではなく、例えば、接着層１３９ｂなどによって接着された場合を含む。
【００７３】
間隔材１３９は、間隔材本体部１３９ａ及び接着層１３９ｂからなる。
間隔材本体部１３９ａは、第２プレート１３２’と一体に成形されるように第２プレート１３２’と同一な材料からなりうる。
間隔材本体部１３９ａは、第１プレート１３１の一面に接着層１３９ｂを媒介として接着されて、第１プレート１３１と第２プレート１３２’とを離隔させて支持するように接着部位が平面からなる立体形状であり得る。
【００７４】
間隔材本体部１３９ａは、間隔材１３９の高さが前述の実施例と同一になるように接着層１３９ｂの塗布の厚さを考慮して提供されうる。
接着層１３９ｂは、間隔材本体部１３９ａが第２プレート１３２’と連結されていない先端に塗布され、視認性を低下させないように透明な接着剤または透明な両面テープからなる。特に、透明接着剤または透明両面テープは、視認性を低下させないように塗布または接着の時だけではなく、硬化後（ｃｕｒｅ後）にも透明性を維持できる。
間隔材１３９の形状や配置は、本発明の第１の実施例または変形例と同一であり、多様な変形が可能である。
【００７５】
本実施例による拡散板アセンブリ１３０’’’によれば、第１プレート１３１と容易に接着され、第２プレート１３２’と一体に成形された間隔材１３９によって第１プレート１３１の垂れ現象の防止を可能にし、光拡散機能及び熱遮断機能を実現する。
【００７６】
尚、本発明は、上述の実施形態、実施例に限られるものではない。本発明の技術的範囲から逸脱しない範囲内で多様に変更実施することが可能である。
【産業上の利用可能性】
【００７７】
本発明に係る拡散板アセンブリ及びバックライトアセンブリは、液晶表示装置のような平板表示装置に適用されることができ、特に、ＰＩＤ用液晶表示装置に適用されうるが、このような拡散板アセンブリ及びバックライトアセンブリの適用される装置は例示的なものである。
【図面の簡単な説明】
【００７８】
【図１】本発明の実施形態によるバックライトアセンブリの分解斜視図である。
【図２】本発明の実施形態によるバックライトアセンブリに含まれる支持台を示す斜視図である。
【図３】本発明の実施形態によるバックライトアセンブリに含まれる下側モールドを示す斜視図である。
【図４】本発明の実施形態によるバックライトアセンブリを概略的に示す断面図である。
【図５】本発明の第１の実施例による拡散板アセンブリの斜視図である。
【図６】図５のＶＩ−ＶＩ’線に沿って切断した断面図である。
【図７】本発明の第１の実施例による拡散板アセンブリの分解斜視図である。
【図８】本発明の第１の実施例による拡散板アセンブリの間隔材の配置形状を示す概略斜視図である。
【図９】本発明の第１の実施例による拡散板アセンブリの間隔材の配置形状を示す概略斜視図である。
【図１０】本発明の第１の実施例による拡散板アセンブリの間隔材の配置形状を示す概略斜視図である。
【図１１】本発明の第１の実施例の間隔材の変形例を含む拡散板アセンブリの分解斜視図である。
【図１２】本発明の第１の実施例の変形例による間隔材の配置形状を示す概略斜視図である。
【図１３】本発明の第１の実施例の変形例による間隔材の配置形状を示す概略斜視図である。
【図１４】本発明の第１の実施例の変形例による間隔材の配置形状を示す概略斜視図である。
【図１５】本発明の第１の実施例の他の変形例を含む拡散板アセンブリの分解斜視図である。
【図１６】本発明の第１の実施例の他の変形例による間隔材の配置形状を示す概略斜視図である。
【図１７】本発明の第１の実施例のさらに他の変形例を含む拡散板アセンブリの分解斜視図である。
【図１８】本発明の第１実施形態のさらに他の変形例による間隔材の配置形状を示す概略斜視図である。
【図１９】本発明の第２の実施例による拡散板アセンブリの断面図である。
【図２０】本発明の第２の実施例による拡散板アセンブリの分解斜視図である。
【図２１】本発明の第３の実施例による拡散板アセンブリの斜視図である。
【図２２】図２１のＸＩＶ−ＸＩＶ’線に沿って切断した断面図である。
【図２３】本発明の第３の実施例による拡散板アセンブリの分解斜視図である。
【図２４】本発明の第３の実施例による拡散板アセンブリの間隔材の配置形状を示す概略斜視図である。
【図２５】本発明の第３の実施例による拡散板アセンブリの間隔材の配置形状を示す概略斜視図である。
【図２６】本発明の第３の実施例による拡散板アセンブリの間隔材の配置形状を示す概略斜視図である。
【図２７】本発明の第４の実施例による拡散板アセンブリの断面図である。
【図２８】本発明の第４の実施形態による拡散板アセンブリの分解斜視図である。
【符号の説明】
【００７９】
１００      バックライトアセンブリ
１１０      トップシャーシ
１２０      光学シート
１３０、１３０’、１３０’’、１３０’’’    拡散板アセンブリ
１３１      第１プレート
１３２、１３２’      第２プレート
１３３，１３４，１３５，１３６，１３７，１３８，１３９    間隔材
１３７ｂ、１３９ｂ、    接着層
１４０      ランプ
１５０      反射シート
１６０      ボトムシャーシ
１６１      支持台
１６２      ランプ支持台
１６３      下側モールド
１６３ａ      拡散板アセンブリ支持台
【図１】
2008027885.tif 000003
【図２】
2008027885.tif 000004
【図３】
2008027885.tif 000005
【図４】
2008027885.tif 000006
【図５】
2008027885.tif 000007
【図６】
2008027885.tif 000008
【図７】
2008027885.tif 000009
【図８】
2008027885.tif 000010
【図９】
2008027885.tif 000011
【図１０】
2008027885.tif 000012
【図１１】
2008027885.tif 000013
【図１２】
2008027885.tif 000014
【図１３】
2008027885.tif 000015
【図１４】
2008027885.tif 000016
【図１５】
2008027885.tif 000017
【図１６】
2008027885.tif 000018
【図１７】
2008027885.tif 000019
【図１８】
2008027885.tif 000020
【図１９】
2008027885.tif 000021
【図２０】
2008027885.tif 000022
【図２１】
2008027885.tif 000023
【図２２】
2008027885.tif 000024
【図２３】
2008027885.tif 000025
【図２４】
2008027885.tif 000026
【図２５】
2008027885.tif 000027
【図２６】
2008027885.tif 000028
【図２７】
2008027885.tif 000029
【図２８】
2008027885.tif 000030